(57)【要約】【課題】本発明はレンズモジュールを提供する。【解決手段】レンズモジュールは鏡筒と、鏡筒内に収容されるレンズ群及び遮光板を備え、レンズ群が像側から物体側へ配列される第１と第２レンズを少なくとも含み、第１レンズがガラスレンズであり、遮光板が第１と第２レンズの間に介在され、第１レンズが第１光学部と第１光学部を取り囲む第１周辺部を備え、第１周辺部が第１周辺部の外縁から光軸方向へ水平延在する第１平面、第１平面に繋がりつつ物体側から像側へ窪んだ凹溝部と凹溝部に繋がる第２平面を備え、遮光板は第１平面に部分的に貼り合わせられる第３平面、第３平面から第１レンズへ突起する突起部と突起部から光軸へ水平延在する第４平面を備え、突起部は凹溝部に貼り合わせられ、第２平面は第４平面と間隔をおいて設けられる。これにより、嵌合真円度がより良くて、嵌合がより安定であり、レンズの全体性能がある程度に向上する。【選択図】図１
2020027294.tif 000002
【特許請求の範囲】
【請求項１】
鏡筒と、鏡筒内に収容されるレンズ群及び遮光板とを備えるレンズモジュールにおいて、前記レンズ群が、像側から物体側へ配列される第１レンズおよび第２レンズを少なくとも含み、前記第１レンズがガラスレンズであり、前記遮光板が前記第１レンズと前記第２レンズとの間に介在され、前記第１レンズが、第１光学部と、前記第１光学部を取り囲む第１周辺部とを備えるレンズモジュールであって、
前記第１周辺部は、第１周辺部の外縁から光軸方向へ水平延在する第１平面と、第１平面に繋がりつつ物体側から像側へ窪んだ凹溝部と、凹溝部に繋がる第２平面とを備え、前記遮光板は、第１平面に部分的に貼り合わせられる第３平面と、前記第３平面に繋がりつつ前記第１レンズの方向へ突起する突起部と、突起部から光軸へ水平延在する第４平面とを備え、前記突起部は、前記凹溝部に貼り合わせられ、前記第２平面は、前記第４平面と間隔をおいて設けられている、ことを特徴とするレンズモジュール。
【請求項２】
前記凹溝部の水平方向における長さは、溝深方向に向かって次第に減少することを特徴とする請求項１に記載のレンズモジュール。
【請求項３】
前記凹溝部は、第１平面から光軸および像側へ傾斜延在する第１斜面と、第１斜面に繋がる第１円弧渡り面と、第１円弧渡り面から光軸へ水平延在する第５平面と、第５平面に繋がる第２円弧渡り面と、第２円弧渡り面から光軸および物体側へ傾斜延在する第２斜面とを備え、第２斜面は、第２平面に繋がることを特徴とする請求項１に記載のレンズモジュール。
【請求項４】
前記突起部は、第３平面から光軸および像側へ傾斜延在する第３斜面と、第３斜面に繋がる第３円弧渡り面と、第３円弧渡り面から光軸へ水平延在する第６平面と、第６平面に繋がる第４円弧渡り面と、第４円弧渡り面から光軸および物体側へ傾斜延在する第４斜面とを備えることを特徴とする請求項３に記載のレンズモジュール。
【請求項５】
前記第１円弧渡り面は、前記第３円弧渡り面と間隔をおいて設けられ、前記第６平面は、前記第５平面に貼り合わせられることを特徴とする請求項４に記載のレンズモジュール。
【請求項６】
前記第２円弧渡り面は、前記第４円弧渡り面と間隔をおいて設けられ、前記第６平面は、前記第５平面に貼り合わせられることを特徴とする請求項４に記載のレンズモジュール。
【請求項７】
前記第３斜面は、前記第１斜面に貼り合わせられ、前記第４斜面は、前記第２斜面に貼り合わせられることを特徴とする請求項４に記載のレンズモジュール。
【請求項８】
前記遮光板は、第３平面に繋がりつつ第３平面よりも前記第１レンズから離間する第７平面を更に備え、前記第７平面は、遮光板の外縁から光軸へ水平延在する平面であることを特徴とする請求項１に記載のレンズモジュール。
【請求項９】
前記第１レンズの外縁端面は、前記鏡筒の内壁面と間隔をおいて設けられていることを特徴とする請求項８に記載のレンズモジュール。
【発明の詳細な説明】
【技術分野】
【０００１】
本発明は、撮像レンズ分野に関し、具体的にレンズモジュールに関する。
【背景技術】
【０００２】
科学技術の継続的な発展に伴い、電子機器は、知能化へ発展しつつあり、デジタルカメラに加えて、タブレットＰＣ、携帯電話などの携帯型電子機器にもレンズモジュールが配備されている。人々の使用需要に応じるように、レンズモジュールで撮影された物体の映像品質は、より高く要求される。
【０００３】
しかし、従来のレンズ構造では、ガラスレンズに外径精度の問題があるため、レンズを鏡筒または他の部品に嵌合する必要があるが、ガラスレンズの組み合わせ方式がずっと難関となっている。ガラスレンズの嵌合真円度が良くないと、レンズの全体性能に影響を与えてしまう。従来の嵌合方式には、依然として大きな改良余地が存在する。ガラスレンズと各ユニットとの嵌合をより安定にさせ、レンズの全体性能を向上させるために、新型のレンズモジュールを提供する必要が生じる。
【発明の概要】
【０００４】
上記問題を解決すべく、本発明は、レンズモジュールを提供する。前記レンズモジュールは、鏡筒と、鏡筒内に収容されるレンズ群及び遮光板とを備え、前記レンズ群が、像側から物体側へ配列される第１レンズおよび第２レンズを少なくとも含み、前記第１レンズが、ガラスレンズであり、前記遮光板が、前記第１レンズと前記第２レンズとの間に介在され、前記第１レンズが、第１光学部と、前記第１光学部を取り囲む第１周辺部とを備え、前記第１周辺部は、第１周辺部の外縁から光軸方向へ水平延在する第１平面と、第１平面に繋がりつつ物体側から像側へ窪んだ凹溝部と、凹溝部に繋がる第２平面とを備え、前記遮光板は、第１平面に部分的に貼り合わせられる第３平面と、第３平面から前記第１レンズへ突起する突起部と、突起部から光軸へ水平延在する第４平面とを備え、前記突起部は、前記凹溝部に貼り合わせられ、前記第２平面は、前記第４平面と間隔をおいて設けられている。
【０００５】
１つの改良として、前記凹溝部の水平方向における長さは、溝深方向に向かって次第に減少する。
【０００６】
１つの改良として、前記凹溝部は、第１平面から光軸および像側へ傾斜延在する第１斜面と、第１斜面に繋がる第１円弧渡り面と、第１円弧渡り面から光軸へ水平延在する第５平面と、第５平面に繋がる第２円弧渡り面と、第２円弧渡り面から光軸および物体側へ傾斜延在する第２斜面とを備え、第２斜面は、第２平面に繋がる。
【０００７】
１つの改良として、前記突起部は、第３平面から光軸および像側へ傾斜延在する第３斜面と、第３斜面に繋がる第３円弧渡り面と、第３円弧渡り面から光軸へ水平延在する第６平面と、第６平面に繋がる第４円弧渡り面と、第４円弧渡り面から光軸および物体側へ傾斜延在する第４斜面とを備える。
【０００８】
１つの改良として、前記第１円弧渡り面は、前記第３円弧渡り面と間隔をおいて設けられ、前記第６平面は、前記第５平面に貼り合わせられる。
【０００９】
１つの改良として、前記第２円弧渡り面は、前記第４円弧渡り面と間隔をおいて設けられ、前記第６平面は、前記第５平面に貼り合わせられる。
【００１０】
１つの改良として、前記第３斜面は、前記第１斜面に貼り合わせられ、前記第４斜面は、前記第２斜面に貼り合わせられる。
【００１１】
１つの改良として、前記遮光板は、第３平面に繋がりつつ第３平面よりも前記第１レンズから離間する第７平面を更に備え、前記第７平面は、遮光板の外縁から光軸へ水平延在する平面である。
【００１２】
１つの改良として、前記第１レンズの外縁端面は、前記鏡筒の内壁面と間隔をおいて設けられている。
【発明の効果】
【００１３】
本発明は、下記の有利な作用効果を有する。
本発明のレンズモジュールにおける遮光板とガラスレンズとの嵌合構造は、嵌合真円度がより良好であり、嵌合部のサイズが調節しやすいため、嵌合がより安定であり、組み立てがより安定であり、レンズの全体性能がある程度に向上する。
【図面の簡単な説明】
【００１４】
【図１】本発明に係るレンズモジュールの構造断面模式図である。
【図２】本発明に係るレンズモジュールにおいて遮光板に嵌合するレンズの構造断面模式図である。
【図３】本発明に係るレンズモジュールにおいて遮光板の構造模式図である。
【発明を実施するための形態】
【００１５】
本発明の解決手段及びその各態様のメリットがより良く理解されるように、以下では、具体的な実施形態を用いて図面を組み合わせて本発明を更に詳細に説明する。以下の実施例では、紙面の左右方向は、水平方向と呼ばれ、紙面の水平方向に垂直な方向、即ち紙面の上下方向は、鉛直方向と呼ばれる。本発明では、中心軸線の方向は、鉛直方向に平行となる。
【００１６】
図１に示すように、本発明は、新型のレンズモジュールを提供する。当該レンズモジュールは、鏡筒１と、鏡筒１内に収容されるレンズ群２及び遮光板３とを備える。ここで、レンズ群２は、鏡筒１の像側から物体側への方向に沿って順次配列される第１レンズ２１、第２レンズ２２、第３レンズ２３および第４レンズ２４を含む。
【００１７】
本実施形態では、鏡筒１は、光通過孔１３が形成され、且つ水平方向に延在する第１筒壁１１と、第１筒壁１１から折り曲げられて延在する第２筒壁１２と、第１筒壁１１と第２筒壁１２とで囲まれた収容空間とを有する。ここで、第１筒壁１１は、物体側に近接する第１表面と、像側に近接する第２表面とを有する。鏡筒１は、一体構造であってもよく、別体構造であってもよい。
【００１８】
図１に示すように、遮光板３は、第１レンズ２１と第２レンズ２２の間に介在されている。ここで、各レンズは、何れも光学部と、光学部を取り囲む周辺部とが設けられている。第１レンズ２１は、ガラスレンズであり、第１レンズ２１、第２レンズ２２、第３レンズ２３は、ガラスレンズであってもよく、プラスチックレンズまたは他の材質のレンズであってもよい。また、レンズ群２におけるレンズの数は、これに限定されない。
【００１９】
ガラスレンズと遮光板との嵌合真円度および全体組み立て性能が更に向上するように、ガラスレンズと遮光板との嵌合構造について改良を行い、具体的な手段は、下記のようになる。
【００２０】
図１と図２に示すように、第１レンズ２１が対称構造を呈するため、以下では、第１レンズ２１と遮光板３の左側部分の嵌合構造を例示として説明する。第１レンズ２１は、ガラスレンズであり、第１レンズ２１は、第１光学部２５と、第１光学部２５を取り囲む第１周辺部２６とを備え、第１レンズ２１の上面は、物体側面であり、第１レンズ２１の下面は、像側面であり、第１レンズ２１の第１周辺部２６の物体側面は、第１周辺部２６の外縁から光軸方向へ水平延在する第１平面２６１と、第１平面２６１に繋がりつつ物体側から像側へ窪んだ凹溝部２６２と、凹溝部２６２に繋がる第２平面２６３とを有する。
【００２１】
具体的に、凹溝部２６２は、第１平面２６１から光軸および像側へ傾斜延在する第１斜面２６２１と、第１斜面２６２１に繋がる第１円弧渡り面２６２２と、第１円弧渡り面２６２２から光軸へ水平延在する第５平面２６２３と、第５平面２６２３に繋がる第２円弧渡り面２６２４と、第２円弧渡り面２６２４から光軸および物体側へ傾斜延在する第２斜面２６２５とを有し、第２斜面２６２５は、第２平面２６３に繋がり、第１斜面２６２１の傾きと第２斜面２６２５の傾きとは、等しくなく、さらに、第１斜面２６２１と光軸Ｘとは、第１夾角をなし、第１夾角が鋭角であることは好ましく、第２斜面２６２５と光軸Ｘとは、第２夾角をなし、第２夾角が鋭角であることは好ましく、凹溝部２６２の水平方向における長さは、溝深方向（即ち、鉛直方向または光軸Ｘ方向）に向かって次第に減少する。
【００２２】
本実施形態では、図３に示すように、遮光板３は、第１平面２６１に部分的に貼り合わせられる第３平面３１と、第３平面３１から第１レンズ２１へ突起する突起部３２と、突起部３２から光軸へ水平延在する第４平面３３とを有し、第３平面３１は、遮光板３の外縁と間隔をおいて設けられ、遮光板３は、第３平面３１に繋がりつつ第３平面３１よりも第１レンズ２１から離間する第７平面３４を更に備え、第７平面３４は、遮光板３の外縁から光軸へ水平延在する平面であり、第１平面２６１は、第３平面３１に貼り合わせられる第１部分２６１１と、第７平面３４と間隔をおいて設けられる第２部分２６１２とを含む。
【００２３】
具体的に、突起部３２は、第３平面３１から光軸および像側へ傾斜延在する第３斜面３２１と、第３斜面３２１に繋がる第３円弧渡り面３２２と、第３円弧渡り面３２２から光軸へ水平延在する第６平面３２３と、第６平面３２３に繋がる第４円弧渡り面３２４と、第４円弧渡り面３２４から光軸および物体側へ傾斜延在する第４斜面３２５とを有する。
【００２４】
図１から分かるように、突起部３２は、凹溝部２６２に貼り合わせられ、具体的に、第１円弧渡り面２６２２は、第３円弧渡り面３２２と間隔をおいて設けられ、第２円弧渡り面２６２４は、第４円弧渡り面３２４と間隔をおいて設けられ、第６平面３２３は、第５平面２６２３に貼り合わせられ、第３斜面３２１は、第１斜面２６２１に貼り合わせられ、第４斜面３２５は、第２斜面２６２５に貼り合わせられる。
【００２５】
さらに、第１レンズ２１の外縁端面２１１は、第１筒壁１１の内壁面と一定の距離をあけ、第２平面２６３は、第４平面３３と間隔をおいて設けられ、第２平面２６３は、第１平面２６１よりも遮光板３に近接する。換言すれば、第１平面２６１と第２平面２６３とは、同一の水平面に位置せず、それに応じて、第３平面３１と第４平面３３とは、同一の水平面に位置しない。
【００２６】
本発明では、第１レンズ２１と鏡筒１との位置決めおよび組付けは、遮光板３の突起部３２と第１レンズ２１の凹溝部２６２とを当接させて凹凸嵌合構造を形成するだけで実施可能であり、嵌合真円度がより良好であり、嵌合がより安定であり、組み立てがより安定である。また、上記嵌合構造が嵌合部のサイズの調節に一層有利であり、嵌合がより安定であり、レンズの全体性能がある程度に向上する。
【００２７】
また、隣接するレンズの間には、何れも遮光片または遮光板が設けられている。遮光片は、迷光を吸収し、必要に応じて、遮光片と遮光板とは、同時に設けられてもよいが、略されてもよい。第２レンズ２２、第３レンズ２３と第４レンズ２４は、押圧によって固定され、第１レンズ２１の像側面の外縁部分は、接着剤注入または押えリングによって固定される。これにより、全てのレンズは、鏡筒１内に固定される。
【００２８】
説明すべきことは、遮光板３との嵌合を実現するために、レンズ群における他のレンズが第１レンズ２１と同じ構造を有してもよい。
【００２９】
従来技術よりも、本発明のレンズモジュールにおける遮光板とガラスレンズの嵌合構造は、嵌合真円度がより良好であり、嵌合部のサイズが調節しやすいため、嵌合がより安定であり、組み立てもより安定であり、レンズの全体性能がある程度に向上する。
【００３０】
上述したのは、単に本発明の実施形態に過ぎない。なお、当業者であれば、本発明の技術的思想を逸脱しない限り、改良を行うこともできるが、これらは、何れも本発明の保護範囲に含まれる。
【図１】
2020027294.tif 000003
【図２】
2020027294.tif 000004
【図３】
2020027294.tif 000005